(57)【要約】【課題】渡りワイヤを含むワニス溜りの形成を防止することができ、温度変化による渡りワイヤの切断を未然に防止することができるステータ装置を提供する。【解決手段】爪２０および渡りワイヤ６にワニスが塗布されると、ワニスは、渡りワイヤ６と爪２０との間の隙間２２を通って下の隙間２３に溜まる。また、隙間２３に溜まったワニスの量が多い場合には、ワニスはインシュレータ１１の端面から流れ落ちる。【選択図】　　　図１
2004064931.tif 000002
【特許請求の範囲】
【請求項１】
環状のステータ本体の内周部に設けられた複数の磁極突起と、この磁極突起と円周方向に向かって交互に設けられ、上記ステータ本体の端面の内周側位置から突出する凸部とを備え、上記磁極突起にワイヤを巻回してなるステータ巻線から出たワイヤを上記凸部の外周側面に掛け、そこから上記ワイヤを隣接する磁極突起に延ばしてステータ巻線に巻回したステータ装置において、
上記凸部が上記ワイヤと接触する部分に、供給されたワニスを上記端面側に流し落とす隙間を設けたことを特徴とするステータ装置。
【請求項２】
前記凸部の円周方向両側に、外周側に突出するリブを設け、これらリブに前記ワイヤが掛けられることにより、ワイヤと上記凸部との間に隙間を設けたことを特徴とする請求項１に記載のステータ装置。
【請求項３】
前記リブは、前記凸部から前記端面に亘って側面視で略直角三角形状をなすように形成され、その略直角三角形状の斜辺をなす部分の中間部に前記ワイヤが掛けられることを特徴とする請求項２に記載のステータ装置。
【請求項４】
前記略直角三角形状の斜辺をなす部分は、緩やかに窪んでいることを特徴とする請求項３に記載のステータ装置。
【発明の詳細な説明】
【０００１】
【発明の属する技術分野】
本発明は、レゾルバ、モータなどの電気回転装置におけるステータ装置に係り、特に、ステータ巻線を固定するためのワニスに起因するステータ渡りワイヤの断線を防止する技術に関する。
【０００２】
【従来の技術】
図７〜図１１は、従来のステータ装置Ｓの内側にロータＲを配置したＶＲレゾルバを示す図である。これらの図に示すステータ装置は、環状のステータスタック１の内周部に複数の磁極歯２を設け、各磁極歯２にワイヤ６巻回してステータ巻線３を形成して概略構成されている。ここで、ステータスタック１の表裏面２および磁極歯２には、インシュレータ４が設けられ、表面側のインシュレータ４には、表面から突出する爪５が磁極歯２どうしの間に位置して形成されている。図９に示すように、磁極歯２のステータ巻線３から出たワイヤ６は、爪５の外周側面に掛けて隣接する磁極歯２に延ばされ、そこで巻回されてステータ巻線３が形成される。そして、所定の連続した磁極歯２へのステータ巻線３の巻線が完了すると、ワイヤ６は、ステータスタック１の外周に設けられたコネクタ部７へ送られ、そこに設けられた出力ピン８に絡げられて固着される。なお、図１０および図１１は、断面矩形の爪５の例を示し、図１２および図１３は断面円形の爪５の例を示している。
【０００３】
【発明が解決しようとする課題】
ところで、上記のようなステータ装置Ｓでは、巻線が完了するとステータ巻線３にワニスが塗布され、ステータ巻線３の保護と固定がなされる。また、その際には、ステータ巻線３どうしを接続するワイヤ（以下、「渡りワイヤ」と称する）６にもワニスが塗布される。ところが、ワニスが塗布されたときに、渡りワイヤ６と爪５との隅部に残ったワニスによって図１４に示すようなワニス溜り９が形成される。その結果、固化したワニス溜り９と渡りワイヤ６の熱膨張係数の相違により、温度変化によって渡りワイヤ６が切断するという問題があった。
したがって、本発明は、渡りワイヤを含むワニス溜りの形成を防止することができ、温度変化による渡りワイヤの切断を未然に防止することができるステータ装置を提供することを目的としている。
【０００４】
【課題を解決するための手段】
本発明のステータ装置は、環状のステータ本体の内周部に設けられた複数の磁極突起と、この磁極突起と円周方向に向かって交互に設けられ、ステータ本体の端面の内周側位置から突出する凸部とを備え、磁極突起にワイヤを巻回してなるステータ巻線から出たワイヤを上記凸部の外周側面に掛け、そこからワイヤを隣接する磁極突起に延ばしてステータ巻線に巻回したステータ装置において、凸部がワイヤと接触する部分に、供給されたワニスを端面側に流し落とす隙間を設けたことを特徴としている。
【０００５】
上記構成のステータ装置にあっては、ワニスを塗布したときに、凸部とワイヤとの間に設けられた隙間からワニスがステータ本体の端面側に流れ落ちるから、ワニス溜りが形成されず、したがって、温度変化による渡りワイヤの切断を未然に防止することができる。
【０００６】
ここで、凸部の円周方向両側に外周側に突出するリブを設けると好適である。そして、これらリブにワイヤが掛けられることにより、ワイヤと凸部との間に大きな隙間が形成される。ただし、本発明はそのような態様に限定されるものではなく、凸部の円周方向略中央部に、外周側に突出する単一のリブを設けることも可能である。
【０００７】
また、リブは、凸部から端面に亘って側面視で略直角三角形状をなすように形成し、その略直角三角形状の斜辺をなす部分の中間部にワイヤが掛けられるようにすると好適である。このような態様では、ワイヤと凸部との間は勿論、ワイヤとステータ本体の端面との間にも隙間が確実に形成される。さらに、略直角三角形状の斜辺をなす部分は、緩やかに窪んでいることが望ましく、これにより、ワイヤを中間部に確実に保持することができる。
【０００８】
【発明の実施の形態】
本発明の実施の形態を図１および図２を参照して説明する。なお、実施形態のステータ装置は、図７〜図９に示す従来のステータ装置とほぼ同等の構成を備えている。そこで、以下の説明では主として実施形態の要部のみについて説明し、その他の部分の説明には図７〜図９と同じ符号を用いることとする。
【０００９】
図１および図２において符号１０はステータスタック（ステータ本体）、１１はインシュレータ（ステータ本体）である。インシュレータ１１の上端面であって磁極歯（磁極突起）２どうしの間には、爪（凸部）２０が形成されている。爪２０は矩形のプレートであり、その円周方向両側には、外周側へ突出するリブ２１が爪２０の上縁部からインシュレータ１１の端面に亘って形成されている。リブ２１は、側面視で略直角三角形状をなし、その斜辺に相当する部分は、緩やかに窪んでいる。
【００１０】
図に示すように、リブ２１には渡りワイヤ６が掛けられており、渡りワイヤ６は、互いに隣接する磁極歯２のステータ巻線３どうしを接続している。渡りワイヤ６は、リブ２１の中間部に保持されており、これによって、渡りワイヤ６と爪２０およびインシュレータ１１の端面との間には、隙間２２，２３が形成されている。
【００１１】
上記構成のステータ装置では、巻線の完了後に、ステータ巻線３およびインシュレータ１１の端面の内周部付近にワニスが塗布される。図１に示す爪２０および渡りワイヤ６にワニスが塗布されると、ワニスは、渡りワイヤ６と爪２０との間の隙間２２を通って下の隙間２３に溜まる。また、隙間２３に溜まったワニスの量が多い場合には、ワニスはインシュレータ１１の端面から流れ落ちる。したがって、渡りワイヤ６の周囲にワニス溜りが形成されるようなことがなく、温度変化に起因する渡りワイヤ６の切断を未然に防止することができる。
【００１２】
特に、上記実施形態では、リブ２１を爪の両側に形成し、かつ、リブ２１の斜辺に相当する部分を緩やかに窪ませているから、渡りワイヤ６と爪２０との間に大きな隙間が形成されるとともに、渡りワイヤ６がリブ２１の中間部で保持されるので、渡りワイヤ６とインシュレータ１１の端面との間にも隙間２３が形成される。したがって、ワニス溜りの形成を確実に防止することができる。
【００１３】
図３および図４は上記実施形態の変更例を示すものである。この変更例は、爪３０の円周方向中間部に、上記リブ２１と同等のリブ３１を１個形成したものである。このような態様においても、渡りワイヤ６と爪３０との間には隙間３２が形成され、渡りワイヤ６とインシュレータ１１の端面との間にも隙間３３が形成される。したがって、上記実施形態とほぼ同等の作用、効果を得ることができる。
【００１４】
図５および図６は上記実施形態の他の変更例を示すものである。この変更例は、爪４０を円柱状に形成し、その円周方向中間部に、上記リブ３１と同等のリブ４１を１個形成したものである。このような態様においても、渡りワイヤ６と爪４０との間には隙間４２が形成され、渡りワイヤ６とインシュレータ１１の端面との間にも隙間４３が形成される。したがって、上記実施形態とほぼ同等の作用、効果を得ることができる。
【００１５】
なお、本発明は上記実施形態に限定されるものではなく、種々の変更が可能である。たとえば、リブ２１，３２，４１の斜辺に相当する部分を緩やかに窪ませたが、直線状であってもかまわない。また、リブ２１，３２，４１の形態は、直角三角形状に限定されるものではなく、矩形状であってもよい。その場合には、その高さ方向中間部に渡りワイヤ６を係合させる凹部を形成することもできる。さらに、図１に二点鎖線で示すように、インシュレータ１１に切欠５０を形成し、インシュレータ１１に流れ落ちたワニスをさらに流し落とすようにしても良い。逆に、図１においてリブ２１の下端部どうしの間に堰を架設して流れ落ちたワニスを溜めるようにしても良い。そこではワニス溜りが形成されるが、渡りワイヤと離間していれば何ら差し支えない。
【００１６】
【発明の効果】
以上説明したように本発明によれば、凸部がワイヤと接触する部分に、供給されたワニスをステータ本体の端面側に流し落とす隙間を設けているから、渡りワイヤを含むワニス溜りの形成を防止することができ、渡りワイヤの温度変化による切断を未然に防止することができるという効果が得られる。
【図面の簡単な説明】
【図１】本発明の実施形態のステータ装置の要部を示す斜視図である。
【図２】図１に示す部分を逆側から見た斜視図である。
【図３】本発明の実施形態のステータ装置の変更例を示す斜視図である。
【図４】図３に示す部分を逆側から見た斜視図である。
【図５】本発明の実施形態のステータ装置の他の変更例を示す斜視図である。
【図６】図５に示す部分を逆側から見た斜視図である。
【図７】従来のステータ装置を示す平面図である。
【図８】従来のステータ装置を示す側面図である。
【図９】従来のステータ装置を示す斜視図である。
【図１０】従来のステータ装置の爪の部分を示す斜視図である。
【図１１】図１０に示す部分を逆側から見た斜視図である。
【図１２】従来のステータ装置の爪の部分の他の例を示す斜視図である。
【図１３】図１２に示す部分を逆側から見た斜視図である。
【図１４】従来のステータ装置の爪の部分を示す側断面図である。
【符号の説明】
６　渡りワイヤ（ワイヤ）
１０　ステータスタック（ステータ本体）
１１　インシュレータ（ステータ本体）
２０，３０，４０　爪（凸部）
２１，３１，４１　リブ
２２，３２，４２　隙間
２３，３３，４３　隙間
【図１】
2004064931.tif 000003
【図２】
2004064931.tif 000004
【図３】
2004064931.tif 000005
【図４】
2004064931.tif 000006
【図５】
2004064931.tif 000007
【図６】
2004064931.tif 000008
【図７】
2004064931.tif 000009
【図８】
2004064931.tif 000010
【図９】
2004064931.tif 000011
【図１０】
2004064931.tif 000012
【図１１】
2004064931.tif 000013
【図１２】
2004064931.tif 000014
【図１３】
2004064931.tif 000015
【図１４】
2004064931.tif 000016